(57)【要約】      （修正有）【課題】誤載置により発生する混乱を防止する。【解決手段】親機３０Ａから対として設定されていない無線子機４０Ｂが取り上げられた場合、主装置１０の制御部１５は、親機３０Ａに無線子機４０Ｂが誤載置されていたと判定し、親機３０Ａの音声処理部と、親機３０Ｂを介して無線子機４０Ｂの音声処理部に、誤載置されている旨を示すエラートーンを出力させる。【選択図】        図１
2005026892.tif 000002
【特許請求の範囲】
【請求項１】
網からの電話回線に接続された主装置と、この主装置に伝送路を介して収容された複数のボタン電話子機とを備え、前記電話回線と前記ボタン電話子機との間を主装置で交換接続する電話システムであって、少なくとも２以上の前記ボタン電話子機は、それぞれ前記主装置に前記伝送路を介して接続される親機とこの親機と対をなし無線接続される無線子機とからなり、前記親機は前記無線子機を載置する載置場所を有する電話システムにおいて、
無線子機が親機から取り上げられると、前記無線子機と前記親機とが対であるか否かを判定する判定手段と、
この判定手段が前記親機と前記無線子機とが対でないと判定すると、この旨を利用者に知らせる報知手段と
を備えたことを特徴とする電話システム。
【請求項２】
請求項１記載の電話システムにおいて、
前記報知手段は、前記親機および前記無線子機の少なくとも一方に設けられることを特徴とする電話システム。
【請求項３】
請求項１または２記載の電話システムにおいて、
前記判定手段は、前記主装置に設けられ、前記親機から受信する前記親機に前記無線子機が載置されていた時間に関する情報と、前記無線子機から受信する前記無線子機が前記親機に載置されていた時間に関する情報とに基づき、前記無線子機と前記親機とが対であるか否かを判定する
ことを特徴とする電話システム。
【請求項４】
請求項１または２記載の電話システムにおいて、
前記判定手段は、前記ボタン電話子機の親機に設けられ、この親機が無線子機を取り上げられたことを検出し、かつ、前記無線子機からのオフフック通知を検出すると、前記親機と前記無線子機とが対であると判定する
ことを特徴とする電話システム。
【請求項５】
請求項１または２記載の電話システムにおいて、
前記判定手段は、前記無線子機に設けられ、この無線子機が取り上げられたことによりオフフック通知を出力した後、所定時間内に前記オフフック通知に対する応答を受信すると、このオフフック応答の送信元の前記親機と前記無線子機とが対であると判定する
ことを特徴とする電話システム。
【発明の詳細な説明】
【０００１】
【発明の属する技術分野】
本発明は、電話システムに関し、特に内線電話機として、親機と無線子機とからなるボタン電話子機を有する電話システムに関するものである。
【０００２】
【従来の技術】
網からの電話回線に接続された主装置と、この主装置に内線収容された複数の内線電話機とからなり、電話回線と内線電話機との間を主装置で交換接続するボタン電話装置などの電話システムでは、内線電話機の一部または全部にボタン電話子機を用いる場合がある（例えば、特許文献１参照）。
この種のボタン電話子機は、親機とその親機の上に載置されるハンドセット型の無線子機とから構成されている。一般的な内線電話機では、当該内線電話機とハンドセットとがカールコードにより有線で接続されているが、この種のボタン電話子機では、親機と無線子機との間が、予め設定された当該ボタン電話子機に固有のシステムＩＤを用いた無線回線で接続されている。親機は、有線の内線伝送路で主装置と接続されており、主装置とデータ通信を行うことにより、一般的な内線電話機と同様の電話機能を提供する。
【０００３】
この電話システムで用いられているボタン電話子機では、親機側に無線子機を載置して充電などを行う充電台すなわち載置場所が設けられている。通常、未使用時には親機の載置場所に無線子機が載置されるものの、無線子機は親機と無線接続されるため、利用者は、必要に応じて親機からある程度離れた場所へ無線子機を持ち運ぶことができ、場所に囚われずに通話することが可能になる。したがって、ボタン電話子機を親機と無線子機とから構成することにより、使い勝手を向上させることができる。
【０００４】
なお、出願人は、本明細書に記載した先行技術文献情報で特定される先行技術文献以外には、本発明に関連する先行技術文献を出願時までに発見するには至らなかった。
【０００５】
【特許文献１】
特開２０００−３５０２４３号公報
【０００６】
【発明が解決しようとする課題】
しかしながら、上述した従来の電話システムでは、無線子機を持ち運ぶことが可能なため、無線子機が他の親機（別親）に載置される場合（誤載置）がある。例えば、無線子機での通話の内容に応じて利用者が他の部屋へ移動し、その移動先の部屋に設置されている別親に無線子機が載置されていない場合に、終話に応じてその無線子機を移動先の別親上へ誤って載置してしまうことが考えられる。このような誤載置が発生すると、従来の電話システムでは、外線発信ができなくなる等の様々な問題が発生し、結果として利用者が混乱してしまうことがあった。
【０００７】
例えば、利用者Ａが親機Ａと対になる無線子機ａ、利用者Ｂが親機Ｂと対になる無線子機ｂをそれぞれ使用するよう設定されたシステムにおいて、親機Ｂに無線子機ａが誤載置されている場合を仮定する。
従来の電話システムでは、外線発信を行う際、内線電話機の親機に配設された外線ボタンにより主装置に収容されている電話回線の使用状況を確認し、空いている回線を捕捉した後にダイヤル入力等の外線発信操作を行う。親機に配設された外線ボタンにはＬＥＤ（Ｌｉｇｈｔ  Ｅｍｉｔｔｉｎｇ  Ｄｉｏｄｅ）が設けられており、このＬＥＤの色によって電話回線の使用状況が表現される。
【０００８】
この際、前述した状況では、無線子機ａが親機Ｂに誤載置されているため、利用者Ｂが無線子機ａで外線発信を行う際に、親機Ｂの外線ボタンにより電話回線を捕捉したとしても、この捕捉した電話回線と接続される無線子機は親機Ｂと対になる無線子機ｂであって、誤載置されている無線子機ａではない。したがって、利用者Ｂは、親機Ｂの外線ボタンが電話回線を捕捉したことを示しているのに、手にしている無線子機（無線子機ａ）で外線発信を行うことができず、このような状況を理解できない利用者Ｂは混乱してしまうことになる。
【０００９】
上述したように、従来の電話システムでは、無線子機が他の親機に誤載置されていると様々な問題が発生してしまう。
そこで、本発明は上述したような課題を解決するためになされたものであり、誤載置により発生する混乱を防止することを目的とする。
【００１０】
【課題を解決するための手段】
このような目的を達成するために、本発明にかかる電話システムは、網からの電話回線に接続された主装置と、この主装置に伝送路を介して収容された複数のボタン電話子機とを備え、電話回線とボタン電話子機との間を主装置で交換接続する電話システムであって、少なくとも２以上のボタン電話子機は、それぞれ主装置に伝送路を介して接続される親機とこの親機と対をなし無線接続される無線子機とからなり、親機は無線子機を載置する載置場所を有する電話システムにおいて、無線子機が親機から取り上げられると、無線子機と親機とが対であるか否かを判定する判定手段と、この判定手段が親機と無線子機とが対でないと判定すると、この旨を利用者に知らせる報知手段とを備えたことを特徴とする。
【００１１】
上記電話システムにおいて、報知手段は、親機および無線子機の少なくとも一方に設けられるようにしてもよい。
【００１２】
上記電話システムにおいて、判定手段は、主装置に設けられ、親機から受信する親機に無線子機が載置されていた時間に関する情報と、無線子機から受信する無線子機が親機に載置されていた時間に関する情報とが一致すると、親機に無線子機とが載置されていたと特定し、無線子機と親機とが対であるか否かを判定するようにしてもよい。
また、上記電話システムにおいて、判定手段は、ボタン電話子機の親機に設けられ、この親機が無線子機を取り上げられたことを検出し、かつ、無線子機からのオフフック通知を検出すると、親機と無線子機とが対であると判定するようにしてもよい。
また、上記電話システムにおいて、判定手段は、無線子機に設けられ、この無線子機が取り上げられたことによりオフフック通知を出力した後、所定時間内にオフフック通知に対する応答を受信すると、このオフフック応答の送信元の親機と無線子機とが対であると判定するようにしてもよい。
【００１３】
【発明の実施の形態】
［第１の実施の形態］
以下、図面を参照して本発明の第１の実施の形態について詳細に説明する。
図１は本実施の形態にかかる電話システムの構成を示すブロック図である。
この電話システムは、網からの１つ以上の電話回線１１に接続された主装置１０と、この主装置１０に内線収容された複数のボタン電話子機２０Ａ，２０Ｂ〜２０Ｎとから構成されており、主装置１０で、電話回線１１とボタン電話子機２０Ａ，２０Ｂ〜２０Ｎの何れかの間における、例えば音声通話やデータ通信などの呼を交換接続する。
【００１４】
ボタン電話子機２０Ａは、主装置１０と内線伝送路１７を介して接続された親機３０Ａと、この親機３０Ａと無線回線を介して接続されるハンドセット型の無線子機４０Ａとの対から構成されている。この親機３０には、無線子機４０Ａを載置して充電などを行う充電台すなわち載置場所が設けられており、通常、未使用時には親機の載置場所に無線子機が載置されている。
ボタン電話子機２０Ａでは、予め設定された当該ボタン電話子機２０Ａに固有のシステムＩＤを用いて親機３０Ａと無線子機４０Ａとの間で無線通信が行われる。また、ボタン電話子機２０Ｂ〜２０Ｎの構成は、ボタン電話子機２０Ａと同様であり、それぞれ親機３０Ｂ〜３０Ｎと無線子機４０Ｂ〜４０Ｎとの対から構成されている。
本発明では、各ボタン電話子機２０Ａ〜２０Ｎからの通知に基づき、主装置１０が各ボタン電話子機２０Ａ〜２０Ｎにおける無線子機の載置状態を検出するものである。
【００１５】
主装置１０には、電話回線１１を終端接続する外線インターフェース部（以下、外線Ｉ／Ｆ部という）１２、有線の内線伝送路１７を介してボタン電話子機２０Ａ〜２０Ｎとデータ伝送を行う内線インターフェース部（以下、内線Ｉ／Ｆ部という）１３、これら外線Ｉ／Ｆ部１２と内線Ｉ／Ｆ部１３との間を交換接続するスイッチ１４、主装置１０の各部を制御して、電話回線１１と各ボタン電話子機２０Ａ〜２０Ｎの呼制御を行う制御部１５、および制御部１５での制御に必要な情報やプログラム等を記憶する記憶部１６が設けられている。
特に、制御部１５は、ＣＰＵなどのマイクロプロセッサを有し、記憶部１６のプログラムを読み込んで実行することにより、上記ハードウェアと協働して各種処理手段を実現し、各種呼制御のほか当該電話システムの各種管理処理を行う。
【００１６】
図２に親機３０（３０Ａ，３０Ｂ〜３０Ｎ）の構成例を示す。親機３０には、内線インターフェース部（以下、内線Ｉ／Ｆ部という）３１、無線インターフェース部（以下、無線Ｉ／Ｆ部という）３２、音声処理部３３、表示部３４、キー入力部３５、記憶部３６、給電部３７、載置検出部３８、および親機制御部３９が設けられている。
内線Ｉ／Ｆ部３１は、内線伝送路１７を介して主装置１０とデータ伝送を行う回路部である。無線Ｉ／Ｆ部３２は、無線回線を介して無線子機４０（４０Ａ，４０Ｂ〜４０Ｎ）とデータ通信を行う回路部である。音声処理部３３は、親機３０で無線子機すなわちハンドセットを用いずに通話を行うためのスピーカホン機能や各種報知音の生成機能を有する回路部である。
【００１７】
表示部３４は、データ伝送で主装置１０から受け取った指示に基づきＬＥＤやＬＣＤを制御して各種表示を行う回路部である。キー入力部３５は、利用者によるキー操作を検出する回路部である。記憶部３６は、親機制御部３９での処理動作に用いる各種情報やプログラムを記憶するメモリである。給電部３７は、充電端子３７Ａを介して電気的に接続された無線子機４０の電池を充電するための電力を供給する回路部である。載置検出部３８は当該親機３０に対する無線子機４０の載置有無を検出する回路部である。親機制御部３９は、ＣＰＵなどのマイクロプロセッサを有し、記憶部３６のプログラムを読み込んで実行することにより、上記ハードウェアと協働して親機３０の各部を制御する機能部である。
【００１８】
図３に無線子機４０の構成例を示す。無線子機４０には、無線インターフェース部（以下、無線Ｉ／Ｆ部という）４１、音声処理部４２、電池４３、充電部４４、状態検出部４５、記憶部４６、表示部４７、キー入力部４８、および無線子機制御部４９が設けられている。
無線Ｉ／Ｆ部４１は、無線回線を介して親機３０とデータ通信を行う回路部である。音声処理部４２は、スピーカやマイク（図示せず）を用いた音声通話機能や各種報知音の生成機能を有する回路部である。電池４３は無線子機４０の各部で用いる動作電源を蓄電する回路部である。充電部４４は、充電端子４４Ａを介して親機３０から供給された電力を電池４３へ充電する回路部である。状態検出部４５は、当該無線子機４０のオンフック／オフフックの状態すなわち載置状態を検出する回路部である。
記憶部４６は、無線子機制御部４９での処理動作に用いる各種情報やプログラムを記憶するメモリである。表示部４７は、データ通信で親機３０から受け取った指示に基づきＬＥＤやＬＣＤを制御して各種表示を行う回路部である。キー入力部４８は、利用者によるキー操作を検出する回路部である。
無線子機制御部４９は、ＣＰＵなどのマイクロプロセッサを有し、記憶部４６のプログラムを読み込んで実行することにより、上記ハードウェアと協働して無線子機４０の各部を制御する機能部である。このような無線子機制御部４９は、状態検出部４５がオフフックまたはオンフックを検出すると、この旨を対となる親機３０に通知する。このオフフック通知またはオンフック通知を受信すると、親機３０の親機制御部３９は、オフフック通知またはオンフック通知を受信したことを示すオフフック応答またはオンフック応答を対となる無線子機４０の無線子機制御部４９に対して送出する。
【００１９】
状態検出部４５については、公知技術として、親機３０に対する無線子機４０の載置により機械的に動作する例えばフックスイッチ、あるいは電気的に動作するフォトインタラプタなど、一般的なスイッチで実現される例もあり、載置検出部３８でも同様のスイッチを用いてもよい。
また、状態検出部４５として、親機３０と無線子機４０との間で充電動作に用いる充電端子３７Ａと充電端子４４Ａとの電気的接続を検出してもよい。このとき、親機３０の載置検出部３８でも同様に電気的接続を検出するようにしてもよい。
【００２０】
この場合、充電端子３７Ａと充電端子４４Ａとの電気的接続により変化する電気量、例えば電流値や電圧値を、給電部３７や充電部４４から取り込み、その変化に応じて、親機３０に対する無線子機４０の載置有無を検出してもよい。
なお、無線子機４０の電池４３が満充電状態となった場合、親機３０から無線子機４０に対する充電電力はゼロとなる。したがって、例えば充電端子３７Ａ，４４Ａ間に常時所定値以上の電流を流しておく、あるいは所定の電位を印加しておくことにより、満充電状態であっても充電端子３７Ａと充電端子４４Ａとの電気的接続の有無を検出してもよい。
【００２１】
次に、図４〜７を参照して、本実施の形態にかかる電話システムの動作について説明する。なお、本実施の形態では、主装置が、無線子機の正常載置または誤載置を判定する。したがって、主装置１０の制御部１５が記憶部１６の無線子機の正常載置または誤載置の判定に関するプログラムを読み込んで実行することにより、判定手段として機能する。
【００２２】
まず、図４を参照して、本実施の形態にかかる電話システムにおいて、無線子機が正常載置されている場合の判定動作について説明する。図４は本実施の形態にかかる電話システムの動作（正常載置）を示すシーケンス図である。
利用者が、無線子機４０Ａと予め対として設定されている親機３０Ａに、無線子機４０Ａを載置（正常載置）すると（ステップＳ１００）、親機３０Ａの親機制御部３９は、載置検出部３８からの出力に基づき任意の無線子機が載置されたことを検出し、給電部３７により載置された無線子機の電池を充電するとともに、（図示しない）タイマを起動し、載置時間の計測を開始する（ステップＳ１０１）。同様に、無線子機４０Ａの無線子機制御部４９も、状態検出部４５からの出力に基づき任意の親機に載置されたことを検出すると、充電部４４が親機３０Ａから供給される電力により電池４３に充電を開始するともに、載置時間の計測を開始する（ステップＳ１０２）。また、無線子機４０Ａの無線子機制御部４９では、無線Ｉ／Ｆ部４１から無線回線を介して対となる親機３０Ａの無線Ｉ／Ｆ部３２と無線通信を行うことにより、載置されたことの検出をオンフックと見なして通知する（ステップＳ１０３）。
この無線子機４０Ａからのオンフック通知に応じて、親機３０Ａの親機制御部３９では、内線Ｉ／Ｆ部３１から内線伝送路１７を介して主装置１０の内線Ｉ／Ｆ部１３とデータ通信を行うことにより、その子機オンフックを主装置１０へ通知する（ステップＳ１０４）。
【００２３】
このように、無線子機が親機に載置されている状態において、利用者が無線子機４０Ａを親機３０Ａから取り上げると（ステップＳ１０５）、親機３０Ａの親機制御部３９は、載置検出部３８からの出力に基づき載置されていた任意の無線子機が取り上げられたことを検出し、載置時間の計測を停止するともに（ステップＳ１０６）、この計測した時間を主装置１０に通知する（ステップＳ１０７）。
同様に、無線子機４０Ａの無線子機制御部４９も、状態検出部４５からの出力に基づき任意の親機から取り上げられたことを検出し、載置時間の計測を停止するとともに（ステップＳ１０８）、この計測時間と取り上げられたことの検出（オフフック）とを無線接続された親機３０Ａを介して主装置１０に通知する（ステップＳ１０９、Ｓ１１０）。
【００２４】
主装置１０の制御部１５では、親機３０Ａからの計測時間通知と、無線子機４０Ａからの計測時間通知およびオフフック通知とを受信すると、それぞれの計測時間を比較する。
ここでは、親機３０Ａによる計測時間と、無線子機４０Ａによる計測時間とが等しいので、主装置１０の制御部１５は、無線子機４０Ａが親機３０Ａから取り上げられたと特定する（ステップＳ１１１）。記憶部１６に予め記憶された親機と無線子機との対応関係のテーブルを確認すると、親機３０Ａと無線子機４０Ａとは対として設定されているので、主装置１０の制御部１５は、無線子機４０Ａが親機３０Ａに正常載置されていた、すなわち親機３０Ａと無線子機４０Ａとは対であると判定し、エラートーンを発することなく、オフフック通知の後に続く外線発信等の処理を通常通りに処理する。
【００２５】
次に、図５を参照して、本実施の形態にかかる電話システムにおいて、無線子機が誤載置されている場合の判定動作について説明する。図５は本実施の形態にかかる電話システムの動作（誤載置）を示すシーケンス図である。
利用者が、無線子機４０Ｂをこの子機とは対として設定されていない親機（別親）３０Ａに載置（誤載置）すると（ステップＳ２００）、別親３０Ａの親機制御部３９は、載置検出部３８からの出力に基づき任意の無線子機が載置されたことを検出し、給電部３７により載置された無線子機の電池を充電するとともに、載置時間の計測を開始する（ステップＳ２０１）。同様に、無線子機４０Ｂの無線子機制御部４９も、状態検出部４５からの出力に基づき任意の親機に載置されたことを検出すると、充電部４４が親機３０Ａから供給される電力により電池４３に充電を開始するとともに、載置時間の計測を開始する（ステップＳ２０２）。また、無線子機４０Ｂの無線子機制御部４９では、無線Ｉ／Ｆ部４１から無線回線を介して無線子機４０Ｂと対として設定されている親機（元親）３０Ｂの無線Ｉ／Ｆ部３２と無線通信を行うことにより、載置されたことの検出をオンフックと見なして通知する（ステップＳ２０３）。
この無線子機４０Ｂからのオンフック通知に応じて、元親３０Ｂの親機制御部３９では、内線Ｉ／Ｆ部３１から内線伝送路１７を介して主装置１０の内線Ｉ／Ｆ部１３とデータ通信を行うことにより、そのオンフックを主装置１０へ通知する（ステップＳ２０４）。
【００２６】
このように、無線子機４０Ｂが別親３０Ａに誤載置されている状態において、利用者が無線子機４０Ｂを別親３０Ａから取り上げると（ステップＳ２０５）、親機３０Ａの親機制御部３９は、載置検出部３８からの出力に基づき載置されていた任意の無線子機が取り上げられたことを検出し、載置時間の計測を停止するとともに（ステップＳ２０６）、この計測した時間を主装置１０に通知する（ステップＳ２０７）。
同様に、無線子機４０Ｂの無線子機制御部４９も、状態検出部４５からの出力に基づき任意の親機から取り上げられたことを検出し、載置時間の計測を停止するとともに（ステップＳ２０８）、この計測時間と取り上げられたことの検出（オフフック）とを元親３０Ｂを介して主装置１０に通知する（ステップＳ２０９、Ｓ２１０）。
【００２７】
主装置１０の制御部１５では、別親３０Ａからの計測時間通知と、無線子機４０Ｂからの計測時間通知およびオフフック通知とを受信すると、それぞれの計測時間を比較する。
ここでは、別親３０Ａによる計測時間と、無線子機４０Ｂによる計測時間とが等しいので、主装置１０の制御部１５は、無線子機４０Ｂが別親３０Ａから取り上げられたと特定する（ステップＳ２１１）。記憶部１６に予め記憶された親機と無線子機との対応関係のテーブルを確認すると、別親３０Ａと無線子機４０Ｂとは対として設定されていないので、主装置１０の制御部１５は、無線子機４０Ｂが別親３０Ａに誤載置されていた、すなわち別親３０Ｂと無線子機４０Ａとは対ではないと判定し、別親３０Ａの音声処理部３３と、元親３０Ｂを介して無線子機４０Ｂの音声処理部４２に、誤載置されている旨を示すエラートーンを出力させる（ステップＳ２１２、Ｓ２１３、Ｓ２１４）。
【００２８】
このように、本実施の形態では、主装置が、親機に無線子機が載置されていた時間と、無線子機が親機に載置されていた時間とを比較することにより、親機とこの親機に載置されている無線子機とが対であるか否かを検出し、親機とこの親機に載置されている無線子機とが対でないことを検出すると、この旨を当該親機および無線子機に報知するようにした。これにより、無線子機の誤載置に伴う種々の問題およびこの問題による利用者の混乱を未然に防ぐことができるので、とても使い勝手がよい。
【００２９】
次に、図６を参照して、無線子機が誤載置されているときにプリセットダイヤルが入力された場合の本実施の形態にかかる電話システムの動作について、説明する。図６は本実施の形態にかかる電話システムの動作（誤載置の際のプリセットダイヤル入力）を示すシーケンス図である。なお、図６において、図５と同等の動作については同じ符合を付し、説明を適宜省略する。
別親３０Ａに無線子機４０Ｂが誤載置されている場合に（ステップＳ２００〜Ｓ２０４）、利用者が、別親３０Ａのキー入力部３５を操作することによりプリセットダイヤルを入力し（ステップＳ３００）、無線子機４０Ｂを別親３０Ａから取り上げると（ステップＳ２０５）、主装置１０の制御部１５は、別親３０Ａおよび無線子機４０Ｂから受信する計測時間通知を比較して、無線子機４０Ｂが別親３０Ａから取り上げられたと特定する（ステップＳ２０６〜Ｓ２１１）。別親３０Ａにプリセットダイヤルを入力した後に、別親３０Ａと対になっていない無線子機４０Ｂを取り上げたところで、その無線子機４０Ｂでプリセットダイヤルに対応する相手先と通話することは不可能である。したがって、主装置１０の制御部１５は、別親３０Ａに入力されたプリセットダイヤルを消去し（ステップＳ３０１）、別親３０Ａの音声処理部３３と、元親３０Ｂを介して無線子機４０Ｂの音声処理部４２に、誤載置されている旨を示すエラートーンを出力させる（ステップＳ２１２〜Ｓ２１４）。
【００３０】
このように、本実施の形態では、無線子機が誤載置されている別親にプリセットダイヤルが入力され、無線子機が取り上げられた場合、入力されたプリセットダイヤルを消去するようにしたことにより、無線子機を取り上げても通話が行えずに混乱してしまうという状況を未然に防ぐことができる。
【００３１】
なお、別親にリダイヤル操作が行われた際も、上述したプリセットダイヤルが入力された場合と同様の処理を行うことにより、利用者が混乱してしまうという状況を未然に防ぐことができる。
【００３２】
次に、図７を参照して、無線子機が誤載置されているときに個別着信があった場合の本実施の形態にかかる電話システムの動作について、説明する。図７は本実施の形態にかかる電話システムの動作（誤載置の際の個別着信）を示すシーケンス図である。なお、図７において、図５と同等の動作については同じ符合を付し、説明を適宜省略する。
別親３０Ａに無線子機４０Ｂが誤載置されている場合に（ステップＳ２００〜Ｓ２０４）、別親３０Ａに個別着信が入り（ステップＳ４００）、利用者が無線子機４０Ｂを別親３０Ａから取り上げると（ステップＳ２０５）、主装置１０の制御部１５は、別親３０Ａおよび無線子機４０Ｂから受信する計測時間通知を比較して、無線子機４０Ｂが別親３０Ａから取り上げられたと特定する（ステップＳ２０６〜Ｓ２１１）。個別着信が入った別親３０Ａに載置されている無線子機４０Ｂを取り上げたとしても、この無線子機４０Ｂは別親３０Ａと対になっていないので、その無線子機４０Ｂで個別着信に応答することは不可能である。したがって、主装置１０の制御部１５は、別親３０Ａに入った個別着信を停止し（ステップＳ４０１）、別親３０Ａの音声処理部３３と、元親３０Ｂを介して無線子機４０Ｂの音声処理部４２に、誤載置されている旨を示すエラートーンを出力させる（ステップＳ２１２〜Ｓ２１４）。
【００３３】
このように、本実施の形態では、無線子機が誤載置されている別親に個別着信が入った場合に、無線子機が取り上げられると、その個別着信を停止するようにしたことにより、無線子機を取り上げても通話が行えずに混乱してしまうという状況を未然に防ぐことができる。
【００３４】
なお、本実施の形態において、主装置１０の制御部１５は、無線子機４０が正常載置されているか否かを判定する指標としては、計測時間に限定されず、例えば計測時刻を用いるようにしてもよい。
【００３５】
［第２の実施の形態］
次に、本発明の第２の実施の形態について説明する。なお、本実施の形態は、ボタン電話子機の親機が、無線子機の正常載置または誤載置を検出するものである。したがって、上述した第１の実施の形態と同等の構成要素には同じ符合を付し、適宜説明を省略する。
【００３６】
親機３０の親機制御部３９は、記憶部３６の無線子機の正常載置または誤載置の検出に関するプログラムを読み込んで実行することにより、判定手段として機能する。
【００３７】
まず、図８を参照して、本実施の形態にかかる電話システムにおいて、無線子機が正常載置されている場合の判定動作について、を例として説明する。図８は本実施の形態にかかる電話システムの動作（正常載置）を示すシーケンス図である。
無線子機４０Ａが予め対として設定されている親機３０Ａに載置されている場合に、利用者が無線子機４０Ａを取り上げると（ステップＳ５００）、親機３０Ａの親機制御部３９は、載置検出部３８からの出力に基づき任意の無線子機が取り上げられたことを検出する（ステップＳ５０１）。
同様に、無線子機４０Ａの無線子機制御部４９も、状態検出部４５からの出力に基づき任意の親機から取り上げられたことを検出すると（ステップＳ５０２）、無線Ｉ／Ｆ部４１から無線回線を介して対となっている親機３０Ａの無線Ｉ／Ｆ部３２と無線通信を行うことにより、取り上げられたことの検出をオフフックと見なして通知（オフフック通知）する（ステップＳ５０３）。
【００３８】
載置されていた無線子機が取り上げられたことと、対となっている無線子機からのオフフック通知とを検出すると、親機３０Ａの親機制御部３９は、親機３０Ａに対となる無線子機４０Ａが正常載置されていて、この無線子機４０Ａが取り上げられたと判定し（ステップＳ５０４）、その無線子機４０Ａにオフフック通知に対する応答（オフフック応答）を送出する（ステップＳ５０５）。オフフック応答を送出した後、親機３０Ａの親機制御部３９は、親機３０Ａと無線子機４０Ａとは対であるので、エラートーンを発することなく、オフフック応答の後に続く外線発信等の処理を、通常通りに処理する。
【００３９】
次に、図９を参照して、本実施の形態にかかる電話システムにおいて、無線子機が誤載置されている場合の判定動作について説明する。図９は本実施の形態にかかる電話システムの動作（誤載置）を示すシーケンス図である。
無線子機４０Ａが対として設定されていない親機（別親）３０Ｂに誤載置されている場合に、利用者が無線子機４０Ａを取り上げると（ステップＳ６００）、無線子機４０Ａの無線子機制御部４９は、状態検出部４５からの出力に基づき任意の親機から取り上げられたことを検出し（ステップＳ６０１）、無線Ｉ／Ｆ部４１から無線回線を介して対となっている親機（元親）３０Ａの無線Ｉ／Ｆ部３２と無線通信を行うことにより、取り上げられたことの検出をオフフックと見なして通知（オフフック通知）する（ステップＳ６０２）。
【００４０】
ここで、元親３０Ａの親機制御部３９は、対として設定されている無線子機４０Ａからオフフック通知を検出するが、載置検出部３８から他の無線子機が取り上げられたことは検出していないので、無線子機と親機の状態は一致しない。したがって、元親３０Ａの親機制御部３９は、無線子機４０Ａが誤載置されている別親から取り上げられたと判定、すなわち別親３０Ｂと無線子機４０Ａとは対でないと判定し（ステップＳ６０３）、無線子機４０Ａの音声処理部４２に、誤載置されている旨を示すエラートーンを出力させる（ステップＳ６０４）。
【００４１】
このように、本実施の形態では、元親が、載置されている無線子機が取り上げられたことと、対となる無線子機からオフフック通知との両方を検出した場合に、当該無線子機が対となる親機に正常載置されていると判定し、正常載置されていない場合には、この旨を誤載置されている無線子機から報知するようにした。これにより、無線子機の誤載置に伴う種々の問題およびこの問題による利用者の混乱を未然に防ぐことができるので、とても使い勝手がよい。
【００４２】
なお、本実施の形態おいて、誤載置された無線子機４０が別親３０から取り上げられた場合に、その別親３０からエラートーンを出力するようにしてもよい。この場合、別親３０の親機制御部３９は、誤載置されている無線子機４０が取り上げられると、タイマにより所定時間を計測し、この所定時間内にオフフック通知を受信しないと、対となっていない無線子機４０が取り上げられたと判定し、音声処理部３３からエラートーンを出力するようにすればよい。
【００４３】
［第３の実施の形態］
次に、本発明の第３の実施の形態について説明する。なお、本実施の形態は、無線子機が、対となる親機に正常載置されているか否かを検出するものである。したがって、上述した第１の実施の形態と同等の構成要素には同じ符合を付し、適宜説明を省略する。
【００４４】
無線子機４０の無線子機制御部４９は、記憶部４６の対となる親機に正常載置されているか否かの検出に関するプログラムを読み込んで実行することにより、判定手段として機能する。
【００４５】
まず、図１０を参照して、本実施の形態にかかる電話システムにおいて、無線子機が対となる親機に正常載置されている場合の判定動作について説明する。図１０は本実施の形態にかかる電話システムの動作（正常載置）を示すシーケンス図である。
無線子機４０Ａが予め対として設定されている親機３０Ａに載置されている場合に、利用者が無線子機４０Ａを取り上げると（ステップＳ７００）、親機３０Ａの親機制御部３９は、載置検出部３８からの出力に基づき任意の無線子機が取り上げられたことを検出する（ステップＳ７０１）。
同様に、無線子機４０Ａの無線子機制御部４９も、状態検出部４５からの出力に基づき任意の親機から取り上げられたことを検出すると（ステップＳ７０２）、無線Ｉ／Ｆ部４１から無線回線を介して対となっている親機３０Ａの無線Ｉ／Ｆ部３２と無線通信を行うことにより、取り上げられたことの検出をオフフックと見なして通知（オフフック通知）する（ステップＳ７０３）。このオフフック通知を送出した後、無線子機４０Ａの無線子機制御部４９は、所定の時間内に親機３０Ａからオフフック応答が送出されてきたか否かを判定するために、タイマをスタートする（ステップＳ７０４）。
【００４６】
通常、親機３０は、載置されていた無線子機４０が取り上げられたことを検出し、対となる無線子機４０からオフフック通知を受信すると、その無線子機４０に対してオフフック応答を送信する。したがって、無線子機４０の無線子機制御部４９は、オフフック通知を送信すると、図示しないタイマで所定時間、すなわちオフフック応答を受信するまでに十分な時間を計測し、この時間内にオフフック応答を受信したか否かにより、対となる親機４０に載置されたか否かを判定する。
【００４７】
親機３０Ａの親機制御部３９は、無線子機４０Ａからオフフック通知を受信すると、ステップＳ７０１において任意の無線子機が取り上げられたことを検出しているので、無線子機４０Ａに対してオフフック応答を送出する（ステップＳ７０５）。
【００４８】
所定の時間内に親機３０Ａからオフフック応答を受信すると、無線子機４０Ａの無線子機制御部４９は、対となる親機３０Ａから取り上げられたと判定、すなわち親機３０Ａと無線子機４０Ａとは対であると判定し（ステップＳ７０６）、エラートーンを発することなく、そのオフフック応答の後に続く外線発信等の処理を、通常通りに処理する。
【００４９】
次に、図１１を参照して、本実施の形態にかかる電話システムにおいて、無線子機が誤載置されている場合の判定動作について説明する。図１１は本実施の形態にかかる電話システムの動作（誤載置）を示すシーケンス図である。
無線子機４０Ａが対として設定されていない親機（別親）３０Ｂに誤載置されている場合に、利用者が無線子機４０Ａを取り上げると（ステップＳ８００）、無線子機４０Ａの無線子機制御部４９は、状態検出部４５からの出力に基づき任意の親機から取り上げられたことを検出し（ステップＳ８０１）、無線Ｉ／Ｆ部４１から無線回線を介して対となっている親機（元親）３０Ａの無線Ｉ／Ｆ部３２と無線通信を行うことにより、取り上げられたことの検出をオフフックと見なして通知（オフフック通知）する（ステップＳ８０２）。
【００５０】
オフフック通知を送出した後、無線子機４０Ａの無線子機制御部４９は、所定の時間内に元親３０Ａからオフフック応答が送出されてきたか否かを判定するために、タイマをスタートする（ステップＳ８０３）。しかし、元親３０Ａの親機制御部３９は、対として設定されている無線子機４０Ａからオフフック通知を検出するが、載置検出部３８から任意の無線子機が取り上げられたことは検出していない。したがって、元親３９Ａの親機制御部３９は、無線子機４０Ａに対してオフフック応答を送出しない。すると、無線子機４０Ａの無線子機制御部４９は、所定時間内に元親３０Ａからオフフック応答を受信しないので（ステップＳ８０４）、別親３０Ｂと無線子機４０Ａとは対ではないと判定し、音声処理部４２からエラートーンを出力する（ステップＳ８０５）。
【００５１】
このように、本実施の形態では、無線子機が、載置されている親機から取り上げられると、対として設定されている親機にオフフック通知を送出し、所定時間内にその親機からオフフック応答を受信した場合に、当該無線子機が対となる親機に正常載置されていると判定し、正常載置されていない場合には、この旨を当該無線子機が報知するようにした。これにより、無線子機の誤載置に伴う種々の問題およびこの問題による利用者の混乱を未然に防ぐことができるので、とても使い勝手がよい。
【００５２】
なお、本実施の形態において、オフフック応答を受信するまでの所定時間は、適宜自由に設定することができる。
【００５３】
また、第２、３の実施の形態において、無線子機が誤載置されているときにプリセットダイヤルが入力された場合は、図６を参照して説明した第１の実施の形態の場合と同様の処理を行うようにしてもよい。すなわち、親機３０のキー入力部３５にプリセットダイヤルが入力された後、この親機３０に誤載置されている無線子機４０が取り上げられ、親機３０の親機制御部３９または無線子機４０の無線子機制御部４９が無線子機が誤載置されていると判定すると、入力されたプリセットダイヤルを消去する。これにより、第２、３の形態でも、無線子機が誤載置されているときにプリセットダイヤルを入力した場合に、無線子機を取り上げても通話が行えずに混乱してしまうという状況を未然に防ぐことができる。
【００５４】
また、第２、３の実施の形態において、無線子機が誤載置されているときに個別着信があった場合は、図７を参照して説明した第１の実施の形態の場合と同様の処理を行うようにしてもよい。すなわち、親機３０に個別着信が入った後、この親機３０に誤載置されている無線子機４０が取り上げられ、親機３０の親機制御部３９または無線子機４０の無線子機制御部４９が無線子機４０が誤載置されていると判定すると、個別着信を停止する。これにより、第２、３の形態でも、無線子機が誤載置されているときに個別着信が入った場合に、無線子機を取り上げても通話が行えずに混乱してしまうという状況を未然に防ぐことができる。
【００５５】
また、第１〜３の実施の形態において、エラートーンを出力する親機３０または無線子機４０は、適宜自由に設定することができる。
また、第１〜３の実施の形態において、誤載置されている旨を示す方法としては、親機３０の音声処理部３３または無線子機４０の音声処理部４２からエラートーンを出力する他に、例えば表示部３４、４７に誤載置されている旨を表示するようにしてもよい。
【００５６】
【発明の効果】
以上説明したように、本発明によれば、無線子機が親機から取り上げられたオフフック状態に基づいて無線子機と、この無線子機が載置されていた親機とを特定し、無線子機と親機とが対であるか否かを判定し、親機と無線子機とが対でないと判定されると、この旨を利用者に報知するようにしたことにより、無線子機の誤載置に伴う種々の問題およびこの問題による利用者の混乱を未然に防ぐことができるので、とても使い勝手がよい。
【図面の簡単な説明】
【図１】第１の実施の形態にかかる電話システムの構成を示すブロック図である。
【図２】親機３０の構成を示すブロック図である。
【図３】無線子機４０の構成を示すブロック図である。
【図４】第１の実施の形態にかかる電話システムの動作（正常載置）を示すシーケンス図である。
【図５】第１の実施の形態にかかる電話システムの動作（誤載置）を示すシーケンス図である。
【図６】第１の実施の形態にかかる電話システムの動作（誤載置の際のプリセットダイヤル入力）を示すシーケンス図である。
【図７】第１の実施の形態にかかる電話システムの動作（誤載置の際の個別着信）を示すシーケンス図である。
【図８】第２の実施の形態にかかる電話システムの動作（正常載置）を示すシーケンス図である。
【図９】第２の実施の形態にかかる電話システムの動作（誤載置）を示すシーケンス図である。
【図１０】第３の実施の形態にかかる電話システムの動作（正常載置）を示すシーケンス図である。
【図１１】第３の実施の形態にかかる電話システムの動作（誤載置）を示すシーケンス図である。
【符号の説明】
１０…主装置、１１…電話回線、１２…外線Ｉ／Ｆ部、１３…内線Ｉ／Ｆ部、１４…スイッチ、１５…制御部、１６…記憶部、２０Ａ，２０Ｂ〜２０Ｎ…ボタン電話子機、３０，３０Ａ，３０Ｂ〜３０Ｎ…親機、３１…内線Ｉ／Ｆ部、３２…無線Ｉ／Ｆ部、３３…音声処理部、３４…表示部、３５…キー入力部、３６…記憶部、３７…給電部、３８…載置検出部、３９…親機制御部、４０，４０Ａ，４０Ｂ〜４０Ｎ…無線子機、４１…無線Ｉ／Ｆ部、４２…音声処理部、４３…電池、４４…充電部、４５…状態検出部、４６…記憶部、４７…表示部、４８…キー入力部、４９…無線子機制御部。
【図１】
2005026892.tif 000003
【図２】
2005026892.tif 000004
【図３】
2005026892.tif 000005
【図４】
2005026892.tif 000006
【図５】
2005026892.tif 000007
【図６】
2005026892.tif 000008
【図７】
2005026892.tif 000009
【図８】
2005026892.tif 000010
【図９】
2005026892.tif 000011
【図１０】
2005026892.tif 000012
【図１１】
2005026892.tif 000013